(57)【特許請求の範囲】
【請求項１】
可動コア（１２）を軸方向に動かす巻き線（１６）が取り付けられているケーシングを構成する円筒状の環状外殻（１４）を備え、可動コア（１２）は、外殻（１４）の軸方向の一端（２８）に設けられた円盤状部（２４）の固定コア（２２）の中央部（２０）（３０）を貫通する制御杆（３１）に作用し、また接触器（１０）は、制御杆（３１）がスターターのモーター用電力供給回路の一部をなす２つの固定接触端子（５０）（５２）と協動するようになっている可動接触部（５４）の移動を制御する形式のものであって、前記固定接触端子（５０）（５２）を、スカート部（３６）を有する円筒状壺形のフード（３２）の底部（３４）に設け、スカート部（３６）は、可動接触部（５４）が設けられたハウジング（３８）を有しており、前記可動接触部（５４）が設けられているフード（３２）のハウジング（３８）の軸方向の一端は、フード（３２）の底部（３４）と連なり、ハウジング（３８）の軸方向の他端は、フード（３２）のスカート部（３６）内に軸方向を向くように固着されている円盤状の中間栓部（６８）と連なり、かつ前記中間栓部（６８）は、制御杆（３１）を通す中央孔（７２）を有し、フード（３２）のスカート部（３６）は、中間栓部（６８）を越えて突き出ている軸方向の延長部（４０）を有し、それにより、円筒状の空洞（４２）が形成され、また接触器は、接触器（１０）を制御するための電子制御回路を備えている形式のものであり、かつ前記電子制御回路は、支持部（７８）であるプリント回路基盤、及び前記支持部（７８）に取り付けられている回路部品（８２）（９２）（９４）を備えている形式の自動車スターター用接触器（１０）において、前記電子制御回路（７６）を、接触器（１０）のフード（３２）のスカート部内の空洞（４２）に、その前記支持部（７８）の厚さ方向が、前記制御杆（３１）の軸方向を向くように、かつ前記電子制御回路（７６）のいくつかの部品（９２）（９４）が、前記中間栓部（６８）本体の少なくとも１つの孔（１００）を貫通するように設けたことを特徴とする接触器。
【請求項２】
電子制御回路（７６）の支持部（７８）は、中央孔（７９）を有する円盤であり、その中央孔（７９）を制御杆（３１）（５８）（７４）が貫通しており、かつ前記支持部（７８）を、固定コア（２２）と可動接触部（５４）との間で軸方向を向くように設けたことを特徴とする請求項１記載の接触器。
【請求項３】
静止位置で、可動接触部（５４）が、それと対向している中間栓部（６８）の一部（６４）と軸方向に当接していることを特徴とする請求項１記載の接触器。
【請求項４】
中間栓部（６８）は、制御杆（７４）をスライドしうるように案内するための中央スリーブ部（７２）を備えていることを特徴とする請求項１又は３記載の接触器。
【請求項５】
フード（３２）は、電気接続用ピン（１０４）（１０８）が通過できる孔（１０２）を有し、かつ前記ピンは、電子制御回路（７６）とフード（３２）の底部（３４）（１０６）との間で軸方向を向いて伸びていることを特徴とする請求項１〜４のいずれか１項に記載の接触器。
【請求項６】
電気接続用ピン（１０４）を、フード（３２）の底部（３４）（１０６）に埋設し、かつフード（３２）の底部（３４）（１０６）は絶縁材からなり、前記電気接続用ピン（１０４）は、第１にフード（３２）内を電子制御回路（７６）（８２）の方へ、第２にフード（３２）の外側へ軸方向に沿って伸びていることを特徴とする請求項５記載の接触器。
【請求項７】
可動接触部（５４）が方形板状であり、可動接触部（５４）は、接触器（１０）の径方向を向いて延び、かつ前記孔（１００）（１０２）は、可動接触部（５４）の長手方向の端部（５３）に対して径方向にずれていることを特徴とする請求項５又は６記載の接触器。
【請求項８】
中間栓部（６８）を越えて軸方向に伸びるフードのスカート部（３６）の延長部（４０）の環状自由端（４３）は、固定コア（２２）を軸方向に押圧していることを特徴とする請求項１〜７のいずれか１項に記載の接触器。
【請求項９】
電子制御回路（７６）は、固定コア（２２）を軸方向に貫通する巻き線（１６）の一部に、溶接またはハンダ付けで固着されていることを特徴とする請求項２記載の接触器。
【請求項１０】
請求項１〜９のいずれか１項に記載の接触器を備えることを特徴とする自動車用スターター。
【発明の詳細な説明】
【０００１】
【発明の属する技術分野】
本発明は、自動車用スターター、特にそのスターター用接触器に関する。
【０００２】
【従来の技術】
自動車の内燃機関を始動するための公知のスターターの一部をなす接触器は、可動コアを軸方向に動かす巻き線が取り付けられているケーシングを構成する円筒状の環状外殻を備え、この可動コアは、外殻の軸方向の端部の１つに設けられた円盤状部の固定コアの中央部を貫通する制御杆に作用し、また接触器は、制御杆がスターターのモーター用電力供給回路の一部をなす２つの固定接触端子と協動するようになっている可動接触部の移動を制御する形式のものであり、前記固定接触端子は、スカート部を有する円筒状壷形のフードの底部に設けられており、スカート部は、可動接触部が設けられたハウジングを画定しており、また接触器は、接触器を制御するための電子回路を備えている形式のものであり、前記電子回路は、支持部であるプリント回路基盤及び前記支持部に取り付けられている回路部品を備えている形式のものである。
【０００３】
ある公知の構成では、電子制御回路は、スターターの外側に連続して固着されており、完全密閉式ケーシング内に、スターターの支持部か、接触器か、または電気スターターモーターのヨークに設けられている。
【０００４】
【発明が解決しようとする課題】
電子制御回路のケーシングを、自動車のエンジンコンパートメント内に固着できる。その場合、前記ケーシングと、スターター接触器間、エンジンの始動を制御するために必要な自動車の他の部分、例えば、イグニッションキー、盗難予防装置、燃料噴射制御用コンピュータ、点火装置などとの間に必要な電気接続用のワイヤーかケーブルを用意しなければならない。
【０００５】
また、別のケーシング内に電子制御回路を設けると、他の部品が必要となって、かさばり、さらに他の電気コネクターなどが必要となり、追加の組み立て作業が必要となる。
【０００６】
本発明の目的は、上記欠点を解消することである。
【０００７】
【課題を解決するための手段】
課題を解決するための、本発明による自動車スターター用接触器は、可動コアを軸方向に動かす巻き線が取り付けられているケーシングを構成する円筒状の環状外殻を備え、可動コアは、外殻の軸方向の一端に設けられた円盤状部の固定コアの中央部を貫通する制御杆に作用し、また接触器は、制御杆がスターターのモーター用電力供給回路の一部をなす２つの固定接触端子と協動するようになっている可動接触部の移動を制御する形式のものであり、前記固定接触端子を、スカート部を有する円筒状壷形のフードの底部に設け、スカート部は、可動接触部が設けられたハウジングを有しており、また接触器は、接触器を制御するための電子回路を備えている形式のものであり、前記電子回路は、支持部であるプリント回路基盤及び前記支持部に取り付けられている回路部品を備えている形式の自動車スターター用接触器において、電子制御回路を、接触器のフード内の空洞に軸方向を向くように設けたことを特徴とする。
【０００８】
本発明の好ましい特徴によれば、電子制御回路の支持部は、中央孔を有する円盤であり、その中央孔を制御杆が貫通しており、前記支持部は、固定コアと可動接触部との間に軸方向を向くように設けられている。
【０００９】
可動接触部が設けられているフード内のハウジングの軸方向の一端は、フードの底部と連なり、ハウジングの軸方向の他端は、フードのスカート部内に軸方向を向くように固着されている円盤状の中間栓部と連なっている。前記中間栓部は、制御杆を通す中央孔を有し、かつフードのスカート部は、中間栓部を越えて突き出ている軸方向の延長部を有し、それにより、おおむね円筒状の空洞が形成され、そこに電子制御回路が設けられているのが好ましい。
【００１０】
前記構成において、接触器が静止位置にある時、可動接触部が、それと対向している中間栓部の一部と軸方向に当接しているのがよい。
【００１１】
中間栓部は、制御杆がスライドしうるように案内するための中央スリーブ部を備えているのがよい。
【００１２】
本発明の好ましい特徴によると、中間栓部本体は、空洞と、可動接触部のあるハウジング内で、軸方向に伸びる電子制御回路のいくつかの部品が貫通できる、少なくとも１つの孔を有している。
【００１３】
本発明のさらに好ましい特徴によると、フードは、電気接続用ピンが通過できる孔を有し、前記ピンは、電子制御回路とフードの底部との間で軸方向を向いて伸びている。
【００１４】
前記構成の好ましい実施例では、電気接続用ピンは、フードの底部に埋設されており、フードの底部は絶縁材からなり、前記電気接続用ピンは、第１にフード内を電子制御回路の方へ、第２にフードの外側へ軸方向に伸びている。
【００１５】
本発明のさらに好ましい特徴によれば、可動接触部は方形板状であり、可動接触部は、接触器の径方向を向いて延び、かつ前記孔は、可動接触部の長手方向の端部に対して径方向にずれている。
【００１６】
本発明のさらに好ましい特徴によれば、中間栓部を越えて軸方向に伸びるフードのスカート部の延長部の環状自由端は、固定コアを軸方向に押圧している。
【００１７】
電子制御回路の支持部は、制御杆本体が通過する中央孔を有する円盤であり、支持部は、固定コアと可動接触部との間に軸方向を向くように設けられており、電子制御回路の支持部は、固定コアを軸方向に貫通する巻き線の一部に、溶接またはハンダ付けで固着されるているのがよい。
【００１８】
さらに本発明による、自動車用スターターは、前記の発明による接触器を備えている。
【００１９】
本発明の特徴や効果は、添付図面に基づく、下記の好ましい実施例の説明によって、より明らかになると思う。これらの実施例は、単なる例示にすぎず、本発明を限定するものではない。
【００２０】
【実施例】
図１，図２は、自動車の内燃機関用スターター（図示せず）のための電磁接触器１０を示す。
接触器１０は、可動コア１２を備え、それは、旋回レバー（図示せず）の一端に接続され、その他端は、スターターヘッドの駆動部に接続されている。
【００２１】
接触器１０は、胴部またはケーシングとも呼ばれる、軸Ｘ−Ｘを有するおおむね円筒状の外殻１４を備えている。環状の巻き線が、外殻１４内に取り付けられている。
【００２２】
可動コア１２は、固定コア２２の中央部２０に固着されている筒状のスカート１８内に、スライドしうるように取り付けられている。
【００２３】
固定コア２２は、円盤状であり、軸Ｘ−Ｘと直交する面にある、その平らな環状主部２４は、外殻１４の軸方向の端部２８に設けられた凹入部２６に固着されている。固定コア２２の中央部には、軸Ｘ−Ｘに沿って、制御杆３１をスライドしうるようにガイドするための中央孔３０がある。
【００２４】
可動コア１２は、制御杆３１に作用する。
接触器１０はまた、絶縁材、例えば熱可塑性材で成形されたフード３２を備えている。フード３２は、中心軸が軸Ｘ−Ｘである円筒状の壷形をしている。
その径方向の底部３４は、軸Ｘ−Ｘと直交しており、円筒状のスカート部３６を備えている。
【００２５】
スカート部３６の主部は、円筒状のハウジング３８で、その自由端は、直径のより大きな延長部４０になっており、それは、おおむね円筒状の空洞４２を区切っている。延長部４０の環状自由端４３は、固定コア２２の円盤状部２４の表面２５と軸方向に当接している。
【００２６】
フード３２は、外殻１４の薄い軸方向の端部４４の径方向内側の玉縁によって、外殻１４に密閉状に固着されている。
公知のように、接触器１０は、適当な導電材からなる１対の固定端子４６，４８を備えている。
【００２７】
スターターモーター（図示せず）の電力供給回路の一部である固定端子４６，４８は、フード３２の底部３４の周りに、埋設されている。
各固定端子４６，４８は、それぞれ接触端子５０，５２を有し、両者は、軸Ｘ−Ｘと直交する面にあり、かつハウジング３８内にある。
【００２８】
また公知のように、可動コア１２の制御杆３１は、方形板状の可動接触部５４を有し、その中央に、制御杆３１のより大きな直径部分５８が貫通している孔５６がある。
【００２９】
図１に示す静止位置では、可動コア１２と可動接触部５４は、可動コア１２と外殻１４の径方向端面１５との間に設けられ、戻りばね（図示せず）によって、図１の左方向へ弾力的に押圧されている。
【００３０】
活動位置においては、すなわち、巻き線１６に電圧が加えられると、可動コア１２と制御杆３１は、図１の左から右へ可動接触部５４を移動させ、接触面６０を固定端子４６，４８の接触端子５０，５２との間に接触させる。
【００３１】
図に示す本発明の実施例では、可動接触部５４は、静止位置で、その反対側の径方向面、すなわち当接面６２を介して、おおむね円盤状の中間栓部６８の径方向面６６で、可動接触部５４と対面関係にある円錐形部６４を押圧している。
【００３２】
中間栓部６８は、適当な絶縁材で作られ、ハウジング３８の内壁内に取り付けられ、中間栓部６８の環状円筒端面７０は、ハウジング３８の内壁内に把持されるように、しっかり係合され、中間栓部６８は、フード３２のスカート部３６に対して軸方向に不動である。
【００３３】
中間栓部６８はまた、その中心部に、制御杆３１の拡大部７４を、スリーブ部内にスライドしうるように案内するための同軸スリーブ部７２を備えている。
中間栓部６８の径方向面６６と反対側の径方向面６７は、空洞４２の軸方向の１つの境界をなしている。
【００３４】
支持部７８を有する接触器１０を制御するための電子制御回路７６が、空洞４２内に設けられている。図３、図４に示すように、支持部７８は、円盤状のプリント回路基盤７８からなり、図１、図２に示すように、制御杆３１の拡大部７４が貫通している中央孔７９を有している。
【００３５】
プリント回路基盤７８の、中間栓部６８の方を向いている径方向面８０には、各種の電子回路部品が設けられている。この電子回路部品には、４つ並んだ雌形接点を有する電気コネクター８２や、各種抵抗器や、コンデンサーなどが含まれる。
【００３６】
プリント回路基盤７８はまた、接地板に接続するための出力端子８４，及び自動車のバッテリーのプラスに接続するための入力端子８６を備えている。
【００３７】
他の出力端子８８は、接触器１０の巻き線１６の共通点に接続されており、孔９０は、巻き線１６の出力端部が、バッテリーのプラスに接続される入力端子４６か４８に接続するため、孔９０を通過できるように、プリント回路基盤７８に設けられている。
【００３８】
図３に示すように、大型回路部品９２，９４のいくつかは、径方向面から比較的長く軸方向に突き出ている。
【００３９】
図１、図２に示すように、保護レジン層９６が、プリント回路基盤７８の周囲およびプリント回路基盤７８と、径方向面８０に取り付けられた小さな回路部品の周囲にモールドされている。
【００４０】
図２に示すように、電子制御回路７６は、巻き線１６の共通点の出力ピンに、８８の個所で溶接またはハンダ付けすることにより接触器１０に固着されている。
【００４１】
従って、電子制御回路７６は、大型回路部品９２，９４を除いて、空洞４２内に設けられており、大型回路部品９２，９４は、中間栓部６８の円盤状の主部に設けられた孔１００を軸方向に貫通している。
【００４２】
孔１００は、可動接触部５４に対応する長手方向の端部５３に対して径方向外側にずれている。
【００４３】
可動接触部５４は、公知の構成であり、互いに平行な２つの長手方向の端部５３を有する方形板である。
大型回路部品９２，９４は、中間栓部６８を越えて軸方向を向くように、可動接触部５４を包含するハウジング３８内へ伸びている。
【００４４】
中間栓部６８はまた、孔１００と径方向に反対側にある孔またはスロット１０２を有している。孔１０２は、可動接触部５４と対応する端部５３の径方向外側にあり、中間栓部６８の環状円筒端面７０で開口している。
【００４５】
４つの電気接続ピン１０４が、孔１０２を貫通している。電気接続ピン１０４は、フード３２の底部３４に対してずれた部分１０６に埋設されている。
【００４６】
各電気接続ピン１０４は、電子制御回路７６の方へ軸方向に伸びている第１または内側部１０８を有しており、電気コネクター８２の雌形接点の１つに受け入れられるようになっている。
【００４７】
各電気接続ピン１０４はまた、フード３２の外側に伸る外側部１１０を有しており、外部コネクター（図示せず）に接続されるようになっている。
【００４８】
従って、フード３２、可動接触部５４、制御杆３１および中間栓部６８からなるサブアセンブリーを、主に外殻１４、固定コア２２、及び電子制御回路７６からなる他のサブアセンブリーに取り付ける際に、電気接続ピン１０４の内側部１０８は、電子制御回路７６の電気コネクター８２の雌形接点内に直接接続されている。
【００４９】
この組立て作業を容易にするため、外殻１４に対して、フード３２を正しい角度で取り付けるための適当な指示手段（図示せず）を設けることができる。
【００５０】
これら２つのサブアセンブリーを合体させる間、制御杆３１、７２は、プリント回路基盤７８の中央孔７９を介して、電子制御回路７６を通過し、制御杆３１は、続いて固定コア２２の孔３０を通過し、可動コア１２と協動して係合する。
【００５１】
【発明の効果】
本発明により構成された接触器１０によると、電子制御回路７６には、自動車に取り付けるための別のケーシングを設ける必要はない。
電子制御回路７６は、接触器１０の密閉手段により、水しぶきや腐食から保護される。
【００５２】
また、電子制御回路７６と接触器１０との間の外部の電気接続は不要となる。
接触器１０のフード３２は、円筒状の壷形である従来の形状のままであり、電気の接続のために設けられる各種要素は変らない。
【００５３】
現在の技術による接触器１０の大半の部品は、十分に保護されている。
最後に、本発明による接触器１０の軸方向の全長は、外部に電子制御回路７６を有する従来の接触器１０の全長と比べて、ごく僅か大となっている。
【図面の簡単な説明】
【図１】  本発明によるスターター接触器の断面図である。
【図２】  図１の断面に対して、９０度ずらした面における本発明によるスターター接触器の断面図である。
【図３】  図１、図２に示した接触器の電子制御回路を、保護層内に挿入する前の側面図である。
【図４】  図３の矢印Ｆ４の方から見た接触器の電子制御回路の平面図である。
【符号の説明】
１０．．．接触器
１２．．．可動コア
１４．．．外殻
１６．．．巻き線
１８．．．筒状のスカート
２０．．．中央部
２２．．．固定コア
２４．．．円盤状部
２６．．．凹入部
２８．．．端部
３０．．．中央部
３１．．．制御杆
３２．．．フード
３４．．．底部
３６．．．スカート部
３８．．．ハウジング
４０．．．延長部
４２．．．空洞
４３．．．環状自由端
４４．．．端部
４６，４８．．固定端子
５０，５２．．接触端子
５３．．．端部
５４．．．可動接触部
５６．．．孔
５８．．．制御杆のより大きな直径部
６０．．．接触面
６２．．．当接面
６４．．．円錐形部
６６，６７．．径方向面
６８．．．中間栓部
７０．．．環状円筒端面
７２．．．同軸スリーブ部
７４．．．制御杆の拡大部
７６．．．電子制御回路
７８．．．支持部、プリント回路基盤
７９．．．中央孔
８０．．．径方向面
８２．．．電気コネクター
８４．．．出力端子
８６．．．入力端子
８８．．．出力端子
９０．．．孔
９２，９４．．大型回路部品
９６．．．保護レジン層
１００，１０２．．孔
１０４．．電気接続ピン
１０６．．部分
１０８．．内側部
１１０．．外側部
【図１】
0004598202.tif 000002
【図２】
0004598202.tif 000003
【図３】
0004598202.tif 000004
【図４】
0004598202.tif 000005